(57)【要約】  特殊用途のドアヒンジ機構を有する家電製品を提供する。少なくとも２つの側面を有するハウジングと、フロントドアと、側面の一方で又はそれに隣接して設けられ、ドアをハウジングに結合してその相対移動を可能にするヒンジ機構とを含み、ドアが、ドアが閉じられた第１位置とドアが全開された第２位置との間で可動であり、ヒンジ機構が、ドア及びハウジングに対してこれらの垂直方向先端から離間した点に取り付けられ、それにより、ドアが第１位置にある時に、ヒンジ機構が、家電製品の前面の位置からは見えず、及び／又はヒンジが、使用中に、ドアが第２位置にある時に一方の側面を横方向に超えるドアの突出の範囲がドアが第１位置にある時の範囲よりも小さいか又はこれに等しいような形状及び寸法にされる組込式設置のための家電製品。好ましくは、ヒンジ機構は、第１位置と第２位置の間の移動中に、ハウジングに対するドアの二重移動、例えば、回転及び並進の両方の移動が容易にされるような形状及び配置にされる。装置の上部及び下部において、１対のヒンジ部材（ブラケット）が接続ピンと共に使用され、ヒンジ部材の各々における異なる形状のスロットが、ドア開放中の互いに対するヒンジ部材の異なる２つの動きを可能にする。【選択図】図５ｃ
2009541699.tif 000002
【特許請求の範囲】
【請求項１】
組込式又は差込式設置のための家電製品であって、
少なくとも２つの側面を有するハウジングと、
フロントドアと、
前記側面の一方で又はそれに隣接して設けられ、ドアが閉じられた第１位置とドアが全開された第２位置との間で可動である前記ドアを前記ハウジングに連結させてその相対移動を可能にするヒンジ機構と、
を含み、
前記ヒンジ機構は、前記ドア及び前記ハウジングに対してこれらの垂直方向先端から離間した点に取り付けられ、それにより、該ドアが前記第１位置にある時に、該ヒンジ機構は、家電製品の前面の位置からは見えない、
ことを特徴とする家電製品。
【請求項２】
前記ヒンジ機構は、使用中に、前記ドアが前記第２位置にある時に前記一方の側面を横方向に超える該ドアの突出の範囲が、該ドアが前記第１位置にある時の範囲よりも小さいか又はこれに等しいような形状及び寸法にされることを特徴とする請求項１に記載の家電製品。
【請求項３】
組込式又は差込式設置のための家電製品であって、
少なくとも２つの側面を有するハウジングと、
フロントドアと、
前記側面の一方で又はそれに隣接して設けられ、ドアが閉じられた第１位置とドアが全開された第２位置との間で可動である前記ドアを前記ハウジングに連結させてその相対移動を可能にするヒンジ機構と、
を含み、
前記ヒンジ機構は、使用中に、前記ドアが前記第２位置にある時に前記一方の側面を横方向に超える該ドアの突出の範囲が、該ドアが前記第１位置にある時の範囲よりも小さいか又はこれに等しいような形状及び寸法にされる、
ことを特徴とする家電製品。
【請求項４】
前記ヒンジ機構は、前記ドア及び前記ハウジングに対してこれらの垂直方向先端から離間した点に取り付けられ、それにより、該ドアが前記第１位置にある時に、該ヒンジ機構は、家電製品の前面の位置からは見えないことを特徴とする請求項３に記載の家電製品。
【請求項５】
前記ヒンジ機構は、前記第１位置と前記第２位置の間の前記ドアの移動中に、該ドアが横方向に外側、次に内側へと移動し、それにより、前記一方の側面を横方向に超える該ドアの突出の範囲が、該ドアが該第１位置にある時の範囲よりも小さな距離だけ一時的に大きいような形状及び寸法にされることを特徴とする請求項１から請求項４のいずれか１項に記載の家電製品。
【請求項６】
前記小さな距離は、３ｍｍまで、及びより好ましくは２−３ｍｍであることを特徴とする請求項５に記載の家電製品。
【請求項７】
前記ヒンジ機構は、前記第１位置と前記第２位置の間の移動中に、前記ハウジングに対する前記ドアの二重移動、例えば、回転及び並進の両方の移動が容易にされるような形状及び配置にされることを特徴とする請求項１から請求項６のいずれか１項に記載の家電製品。
【請求項８】
前記ヒンジ機構は、少なくとも前記ハウジングの上部及び下部の各々において、
前記ドアに固定的に取り付けられ、１次スロットが形成された第１ヒンジ部材、
を含む、
ことを特徴とする請求項１から請求項７のいずれか１項に記載の家電製品。
【請求項９】
前記第１ヒンジ部材は、前記ドアの上部及び下部の両方から離間していることを特徴とする請求項８に記載の家電製品。
【請求項１０】
前記ヒンジ機構は、少なくとも前記ハウジングの上部及び下部の各々において、
前記ハウジングに固定的に取り付けられ、２次スロットが形成された第２ヒンジ部材、
を含む、
ことを特徴とする請求項１から請求項９のいずれか１項に記載の家電製品。
【請求項１１】
前記第２ヒンジ部材は、前記ハウジングの前記上部及び下部の両方から離間していることを特徴とする請求項１０に記載の家電製品。
【請求項１２】
前記ヒンジ機構は、少なくとも前記ハウジングの前記上部及び下部の各々において、前記第１及び第２ヒンジ部材をそれぞれのスロットを通じて各々が互いに連結する１対の接続部材を更に含み、
各スロットは、前記第２ヒンジ部材に対する前記第１ヒンジ部材の異なるタイプの移動を可能にする、
ことを特徴とする請求項８から請求項１１のいずれか１項に記載の家電製品。
【請求項１３】
前記１次スロットは、相対的に細長いスロットを含み、前記２次スロットは、相対的に短いスロットを含み、
又は、前記１次スロットは、相対的に短いスロットを含み、前記２次スロットは、相対的に細長いスロットを含む、
ことを特徴とする請求項１２に記載の家電製品。
【請求項１４】
前記細長いスロットは、ほぼ弓形又はほぼ曲線であり、それにより、前記第１位置と前記第２位置の間の移動中の前記ハウジングに対する前記ドアの実質的な回転移動を容易にすることを特徴とする請求項１３に記載の家電製品。
【請求項１５】
前記短いスロットは、直線状に延び、それにより、前記第１位置と前記第２位置の間の移動中の前記ハウジングに対する前記ドアの実質的な直線並進移動を容易にすることを特徴とする請求項１３又は請求項１４に記載の家電製品。
【請求項１６】
前記短いスロットは、前記細長いスロットの終点間を結ぶ線に対して例えば約４５度のある一定の角度の方向に延びていることを特徴とする請求項１２から請求項１５のいずれか１項に記載の家電製品。
【請求項１７】
前記ヒンジ部材の各々は、例えば鋼鉄製の板の形態であることを特徴とする請求項８から請求項１６のいずれか１項に記載の家電製品。
【請求項１８】
前記１次スロット、前記２次スロット、又はその両方は、その内面上に、それぞれの連結部材における対応する凹部形状と係合するための該スロットの長さに沿って延びる隆起部分を設けていることを特徴とする請求項８から請求項１７のいずれか１項に記載の家電製品。
【請求項１９】
前記接続部材は、ピン、ナット、及びボルトを含むことを特徴とする請求項８から請求項１７のいずれか１項に記載の家電製品。
【請求項２０】
前記ドアは、最前部のほぼ矩形のガラス板を含み、
前記ドアの最も遠い横方向の範囲は、該ドアがそれぞれ前記第１及び第２位置にある時の前記ガラス板の縁部及び該ガラス板の前向き表面によって定められる、
ことを特徴とする請求項１から請求項１９のいずれか１項に記載の家電製品。
【請求項２１】
前記ヒンジ機構は、前記ハウジングの前記側面の一方に又はそれに隣接して設けられる代わりに、該ハウジングの前記上部又は下部に又はそれに隣接して設けられることを特徴とする請求項１から請求項２０のいずれか１項に記載の家電製品。
【請求項２２】
オーブン、例えば電子レンジの形態であるか、又は冷蔵庫又は冷凍庫の形態であることを特徴とする請求項１から請求項２１のいずれか１項に記載の家電製品。
【発明の詳細な説明】
【技術分野】
【０００１】
本発明は、家電製品に関し、より具体的には、特殊用途のドアヒンジ機構を有する家電製品に関する。
【背景技術】
【０００２】
本発明は、オーブン、冷蔵庫、及び冷凍庫などのようなヒンジ式ドアを有する家電製品に関する。本発明は、例えば、電子レンジに関連して特に有益である。しかし、本発明は、独立型とすることができる家電製品に適用可能であるが、組込式設置に適応した、すなわち、フレームワーク又は外部ハウジング内に設けられるか又はキッチン又は他の家具に取り付けられる（「差込」又は「組込」式家電製品としても公知の）装置に対して有利である。
【０００３】
公開されている英国特許出願ＧＢ２４１００５９Ａは、下部支持ヒンジと上部ヒンジの間で横方向にヒンジで動くドアを有する冷蔵庫又は電子レンジのような家電製品を開示している。上部ヒンジは、突起部分を有する角度付きブラケットを含み、ドアの上縁には、ドアが所定値を超える角度に開かれる時に突起部分と徐々に干渉し、開放角度が大きくなる時に大きくなる抵抗トルクを与える傾斜形の摺動ブロックが設けられている。ドアは、例えば、１３０−１４０度を超えて開くことができる。
【先行技術文献】
【特許文献】
【０００４】
【特許文献１】英国特許出願ＧＢ２４１００５９Ａ
【発明の概要】
【発明が解決しようとする課題】
【０００５】
問題は、家具、例えば、作り付けのキッチンに「組込」式に設けられる電子レンジ及び他の家電製品への高まる要求に伴って、上述のＧＢ２４１００５９の家電製品のようなドア開放が１３０＋度を有する独立型の状況に合わせて設計された家電製品は、装着において困難を生じ、不十分なことである。例えば、側面又は他の先端の周囲に見栄えの悪い隙間なしにキッチン備品内に電子レンジのような家電製品を面一に取り付けることは困難か又は不可能である可能性がある。
【課題を解決するための手段】
【０００６】
本発明は、少なくとも２つの側面を有するハウジングと、フロントドアと、側面の一方で又はそれに隣接して設けられ、ドアをハウジングに結合してその相対移動を可能にするヒンジ機構とを含み、ドアが、ドアが閉じられた第１位置とドアが全開された第２位置との間で可動であり、ヒンジ機構が、ドア及びハウジングに対してこれらの垂直方向先端から離間した点に取り付けられ、それにより、ドアが第１位置にある時に、ヒンジ機構が、家電製品の前面の位置からは見えない組込式設置のための家電製品を提供する。好ましくは、ヒンジは、使用中に、ドアが第２位置にある時に一方の側面を横方向に超えるドアの突出の範囲が、ドアが第１位置にある時の範囲よりも小さいか又はこれに等しいような形状及び寸法にされる。
【０００７】
本発明の別の態様により、少なくとも２つの側面を有するハウジングと、フロントドアと、側面の一方で又はそれに隣接して設けられ、ドアをハウジングに結合してその相対移動を可能にするヒンジ機構とを含み、ドアが、ドアが閉じられた第１位置とドアが全開された第２位置との間で可動であり、ヒンジ機構が、使用中に、ドアが第２位置にある時に一方の側面を横方向に超えるドアの突出の範囲が、ドアが第１位置にある時の範囲よりも小さいか又はこれに等しいような形状及び寸法にされる組込式又は差込式設置のための家電製品を提供する。好ましくは、ヒンジ機構は、ドア及びハウジングに対してこれらの垂直方向先端から離間した点に取り付けられ、それにより、ドアが第１位置にある時に、ヒンジ機構は、家電製品の前面の位置からは見えない。
好ましくは、ヒンジ機構は、第１位置と第２位置の間のドアの移動中に、ドアが横方向に外側、次に内側へと移動し、それにより、一方の側面を横方向に超えるドアの突出の範囲が、ドアが第１位置にある時の範囲よりも小さな距離だけ一時的に大きいような形状及び寸法にされる。好ましくは、小さな距離は、３ｍｍまで、より好ましくは、２−３ｍｍである。
【０００８】
ヒンジ機構は、第１位置と第２位置の間の移動中に、ハウジングに対するドアの二重移動、例えば、回転及び並進の両方の移動が容易にされるような形状及び配置とすることができる。
好ましくは、ヒンジ機構は、ハウジングの上部及び下部の少なくとも各々において、ドアに固定で取り付けられ、１次スロットが形成された第１ヒンジ部材を含む。好ましくは、第１ヒンジ部材は、ドアの上部及び下部の両方から離間している。
【０００９】
好ましくは、ヒンジ機構は、ハウジングの上部及び下部の少なくとも各々において、ハウジングに固定で取り付けられ、２次スロットが形成された第２ヒンジ部材を含む。好ましくは、第２ヒンジ部材は、ハウジングの上部及び下部の両方から離間している。
好ましくは、ヒンジ機構は、ハウジングの上部及び下部の少なくとも各々において、第１及び第２ヒンジ部材をそれぞれのスロットを通じて各々が互いに連結する１対の接続部材を更に含み、各スロットは、第２ヒンジ部材に対する第１ヒンジ部材の異なるタイプの移動を可能にする。
【００１０】
好ましくは、１次スロットは、相対的に細長いスロットを含み、２次スロットは、相対的に短いスロットを含み、又は１次スロットは、相対的に短いスロットを含み、２次スロットは、相対的に細長いスロットを含む。好ましくは、細長いスロットは、ほぼ弓形又はほぼ曲線であり、それにより、第１位置と第２位置の間の移動中にハウジングに対するドアの実質的な回転移動を容易にする。好ましくは、短いスロットは、直線状に延び、それにより、第１位置と第２位置の間の移動中にハウジングに対するドアの実質的な直線並進移動を容易にする。好ましくは、短いスロットは、細長いスロットの終点間を結ぶ線に対してある一定の角度（スロット角度）の方向に延び、この角度は、例えば、約４５度である。しかし、これは、可能な構成の１つの例であり、配置は、上述のスロット角度が９０度まで又は１８０度までのようなものとすることができる。
【００１１】
適切な態様においては、ヒンジ部材の各々は、例えば、鋼鉄製の板の形態をとる。しかし、当業者には、応力耐性要件に従う多くの金属を含む多くの代替的材料を使用することができることは認められるであろう。代替的に、ヒンジ部材は、板ではなくブロックの形態をとることができ、及び／又はプラスチック成形部品とすることができる。
１次スロット、２次スロット、又はその両方には、それらの内面上に、それぞれの連結部材の対応する凹部形状と係合するために、スロットの長さに沿って延びる隆起部分を設けることができる。代替的に、スロットは、平らな内面を有することができる。
【００１２】
接続部材は、ピン、ナット、及びボルトを含むことができる。しかし、当業者には、多くの代替的な固定手段を使用することができることは認められるであろう。
ドアは、最前部のほぼ矩形のガラス板を含むことができ、ドアの最も遠い横方向の範囲は、ドアがそれぞれ第１位置及び第２位置にある時のガラス板の縁部及びガラス板の前向き表面によってそれぞれ定められる。代替的に、板は、上述の材料に類似する特性を有するパースペクス、ＰＭＭＡ、又は他の何らかの適切な材料で形成することができる。代替的に、板は、全体又は部分的に金属、例えば、ステンレス鋼又はアルミニウム製とすることができる。
【００１３】
代替的構成では、ヒンジ機構は、ハウジングの側面の一方で又はそれに隣接して設けられる代わりに、ハウジングの上部又は下部で又はそれに隣接して設けられる。
適切な態様においては、家電製品は電子レンジである。しかし、当業者には、家電製品は、装置を対流、マイクロ波、蒸気、及びグリルなどの調理技術の１つ又はそれよりも多くを組み込むオーブンとすることができる多くの代替形態をとることができることは認められるであろう。代替的に、家電製品は、冷蔵庫、冷凍庫、又はドアを有する他の家電製品である。
【００１４】
本発明による技術を用いれば、電子レンジのような家電製品は、側面又は他のいずれの場所にも問題の見栄えの悪い隙間を残さずに、作りつけのキッチン備品に見受けられるような矩形の開口内に面一に嵌め込むことができる。
本発明は、ドアが開いているか閉じているかに関係なく、家電製品が同じ矩形プロフィール又は空間要件を形成することを可能にする。
すなわち、本発明は、家電製品の組込又は「差込」装着を強化するものである。
ここで、本発明の実施形態を以下に添付図面を参照して例示的に詳細に説明する。
【図面の簡単な説明】
【００１５】
【図１】ヒンジ式のフロントドアを含む従来の家電製品を示す図である（従来技術）。
【図２】従来技術を用いたキッチン区画内への電子レンジの装着を示す図である（従来技術）。
【図３】本発明の実施形態による技術を用いたキッチン区画内への電子レンジの装着を示す図である。
【図４】（ａ）レンジの左側面から上部、（ｂ）前面斜視図、（ｃ）ドアに取り付けられた第１ヒンジ部材、（ｄ）ハウジングに取り付けられた第２ヒンジ部材、（ｅ）２つのヒンジ部材の分解組立図、及び（ｆ）ヒンジ部材内のスロットを通じた断面の本発明の実施形態により採用されたヒンジ機構の部分図である。
【図５】ドアが（ａ）閉鎖、（ｂ）２０度開放、（ｃ）５０度開放、及び（ｄ）９０度開放しているヒンジ機構の上方部分の部分的な平面図である。
【発明を実施するための形態】
【００１６】
説明及び図面では、同様の数字を用いて同様の要素を示している。
図１（従来技術）は、ＧＢ２４１００５９Ａで公知のようなヒンジ式フロントドアを含む従来の家電製品を示している。ここでは、家電製品は、キャビネット１を備えた冷蔵庫であり、垂直にヒンジで動くドア３を一方の側面に含む（開いた位置で示されている）。
【００１７】
ドア３は、上部ヒンジユニット及び下部ヒンジユニットを用いてキャビネットにヒンジ留めされている。上部ヒンジユニットは、一般的に、突出するようにキャビネット１の前部上縁にネジで取り付けられた直角ブラケット９を含む。
直角部材９の突起部分は、ドアの上縁５と重なり、ドア３の上縁５内に形成された円筒座部内に挿入される垂直ピン１０が設けられている。下部ヒンジユニットの構造も全く同様である。ブラケット１１には、ドアの下端内に形成された円筒座部内に挿入される垂直ピンも、見えないが設けられている。２つのブラケット９、１１、及び１０のような対応するピンは、ドアがヒンジで動くエンドヒンジを形成する。
【００１８】
図２（従来技術）は、従来技術を用いた組込式キッチンタイプの矩形のキッチン区画２０４内への電子レンジ２０２の装着を示している。レンジ２０２の左側面２０６におけるヒンジの作動、及びドアが開いている時のドア２１０（一部分しか示されていない）の最も近い縁部２０８の位置に適合させるために、側面２０６（ドア２１０が閉じられた時のレンジ２０２の最も遠い横方向の範囲）と区画２０４の左側面２１４の間に間隔２１２（網掛けにより表示され、説明目的のために多少誇張されている）を有するべきである。問題は、このような間隔２１２により、レンジ２０２を区画内の安定した固定位置に保つために、何らかの付加的なブラケット又はスペーサ（図示しない）の使用が必要な場合がある点である。更に別の問題は、間隔２１２は、小さいものが引っかかる場所になり、キッチン内の清掃が非常に困難な部分になる場合がある点である。
【００１９】
図３は、本発明の実施形態による技術を用いた組込式キッチンタイプのキッチン区画２０４内への電子レンジ２０２の装着を示しており、これについて以下でより詳細に説明する。レンジのドア２１０の位置は、閉鎖位置に関しては実線、及びドア開放に関しては点線で示されている。ドア２１０は、ガラスフロント板２１６を含む（従来の設計手法によれば、典型的に（制御／表示パネルを除いて）総ガラスフロントで設計されたレンジを提供する要件がある）。
【００２０】
各位置において、レンジ２０２は、一方でレンジの両側面及びレンジの上部及び下面と、他方で区画２０４の側面との間に最小の間隔で又は間隔が全くなく区画２０３内に面一に取り付けられているのが分る。特に、ドア２１０の位置の各々におけるドア２１０（及び従ってレンジ２０２）の最も遠い横方向の（すなわち、最も左の）範囲が同じなので、レンジ２０２と区画２０３の側面の間の最も左の側面に隙間又は間隔は必要ない。
【００２１】
図４は、本発明の実施形態により採用されたヒンジ機構の部分図である。図４（ａ）は、レンジ２０２の左側面からの上部の図であり、レンジ２０２のハウジング４０２へのドア２１０の装着を示している。ヒンジ機構が含まれており（その上部だけが示されている）、全体的に４０４と示している。図３に関連して上述したように、この実施形態におけるドア２１０は、ガラスフロント板２１６を含む。
【００２２】
図４（ｂ）は、レンジ２０２の左側面からの上部の前面斜視図である。図から分るように、ヒンジ機構４０４の上部は、ネジ又はボルト（図示しない）を用いてハウジング４０２に固定で取り付けられた第１ヒンジ部材（又はブラケット）４０６、及びネジ又はボルト（図示しない）を用いてドア２１０に固定で取り付けられた第２ヒンジ部材（又はブラケット）４０８を含む。ヒンジ機構の下部は、対応する構造を有し、簡潔にするために省略する。
【００２３】
図４（ａ）及び（ｂ）のドアは、閉鎖位置で示されている。ハウジング４０２の左側面は、４１０で示されており、これを超えて横方向に延びるのは、第１及び第２ヒンジ部材４０６、４０８であり、これは、最大限でドア２１０のガラス板２１６の縁部４１１までであり、これについては、以下で詳細に説明する。
図４（ｃ）は、ドアに取り付けられた第１ヒンジ部材４０６をより詳細に示している。図４（ｄ）は、ハウジング４０２に取り付けられた第２ヒンジ部材４０８を示しており、図４（ｅ）は、２つのヒンジ部材の分解組立図を示している。図４（ｃ）は、第２ヒンジ部材４０８の下からの図であり、この部材は、弓形のスロット４１２及び第２丸穴４１４を含む。組み立てられると、弓形のスロット４１２は、ピン又はボルト４１６を受け取り、第２丸穴４１４は、ピン又はボルト４１８を受け取る（図４（ｅ）を参照）。
【００２４】
第１ヒンジ部材４０６を上から示した図４（ｄ）で分るように、第１ヒンジ部材は、相対的に短いスロット４２０及び第１丸穴４２２を含む。組み立てられると、短いスロット４２０は、ピン又はボルト４１８を受け取り、第１丸穴４２２は、ピン又はボルト４１６を受け取る（図４（ｅ）を参照）。
短いスロット４２０は、ピン４１８（及び従ってこれに取り付けられた第２ヒンジ部材４０８及びドア２１０）のほぼ横方向の移動を容易にし、弓形のスロット４１２は、ピン４１６（従って、第１ヒンジ板４０６に対する第２ヒンジ部材４０８）のほぼ弓形又は曲線の動きを容易にすることが分かるであろう。
【００２５】
例示した実施形態では、ピン４１６、４１８、及びヒンジ部材４０６、４０８は、別々の構成要素である。しかし、好ましい形態では、ピン４１８は、ヒンジ部材４０８と一体的に（すなわち、突起部分として）製造され、及び／又はピン４１６が、ヒンジ部材４０６と一体で製造され、又はその逆もある。更に別の代替案においては、両方のピン（突起部分）は、ヒンジ部材４０６又はヒンジ部材４０８のいずれかと一体に製造することができる。
【００２６】
図４（ｆ）は、ヒンジ部材内のスロット（例えば、ヒンジ部材４０８内の弓形のスロット４１２）を通じた部分的な断面を示しており、図４（ｃ）にも示したように、これに沿ってピン４１６が移動するスロット４１２の内面は、スロット４１２の長さに沿って隆起部分４２４、４２６を含むことができる。これらの隆起部分４２４、４２６は、ピン４１６の対応する肩部４２８、４３０と係合し、それにより、ヒンジ部材４０６、４０８の摺動移動中にピンを適切な方向に保つ。代替的又は追加的に、スロット４２０は、ピン４１８上の対応する肩部（図示しない）と協働するために、内面に隆起部分（図示しない）を含むことができる。
【００２７】
図５は、ドアが（ａ）閉鎖、（ｂ）２０度開放、（ｃ）５０度開放、及び（ｄ）９０度開放している場合のヒンジ機構の上部の部分的な平面図である。図５は、従って、相対移動、及びドア２１０の閉鎖位置（図５（ａ））とドアの開放位置（図５（ｄ））の間の様々な点における構成要素の位置を例示している。２つの位置間を動く間、ピン４１８は、短いスロット４２０内を矢印Ａの方向に移動し、ピン４１６は、弓形のスロット４１２内を矢印Ｂの方向に移動する。
【００２８】
図５（ａ）を参照すると、最も遠い横方向部分は、ガラス板２１６の縁部４１１であり、これが第１ヒンジ部材４０６の縁部５０４を超えて突出する範囲をＬとして示している。
図５（ａ）と図５（ｂ）の間の移動において、弓形のスロット４１２内のピン４１６の動きは、曲げ部５０６の周りでほぼ湾曲しており、その後（図５（ｂ）と図５（ｃ）との間で）、動きは、弓形のスロット４１２の区域５０８に沿ってほぼ、より直線的である。
図５（ｃ）と図５（ｄ）の間、すなわち、約５０度から約９０度までの開放において、ピン４１６は、区域５０８の縁部に達し、最終位置に達するまで曲げ部５１０を再び移動する。図５（ｃ）において、すなわち、直線区域５０８では、他方のピン４１８は、短いスロット４２０内を方向Ｃに移動し、これは、前に移動していた方向Ａに対して約１８０度逆である点に注意されたい。
【００２９】
全体的な効果は、両方のヒンジ部材４０６、４０８の上で上方向に延びるガラス板２１６が、自己の最終位置（図５（ｄ））に達するまで、第１ヒンジ部材４０６の湾曲したコーナ区画５１２の周りに滑らかに移動する点である。また、最も横方向の部分（ガラス板２１６の表面５１４）が第１ヒンジ部材４０６の縁部５０４を超えて突出する範囲Ｆは、閉鎖位置（図５（ａ））における距離Ｌに等しいか又は小さく、従って、レンジ２０２の周囲寸法にほぼ同一寸法の矩形区画（図３を参照）内への電子レンジの面一の装着を容易にする。
【符号の説明】
【００３０】
４１２  弓形スロット
４１６  ピン
５０８  直線区域
【図１】
2009541699.tif 000003
【図２】
2009541699.tif 000004
【図３】
2009541699.tif 000005
【図４ａ】
2009541699.tif 000006
【図４ｂ】
2009541699.tif 000007
【図４ｃ】
2009541699.tif 000008
【図４ｄ】
2009541699.tif 000009
【図４ｅ】
2009541699.tif 000010
【図４ｆ】
2009541699.tif 000011
【図５ａ】
2009541699.tif 000012
【図５ｂ】
2009541699.tif 000013
【図５ｃ】
2009541699.tif 000014
【図５ｄ】
2009541699.tif 000015
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
組込式又は差込式設置のための家電製品（２０２）であって、
少なくとも２つの側面（４１０）を有するハウジング（４０２）と、
フロントドア（２１０）と、
前記側面（４１０）の一方で又はそれに隣接して設けられ、ドアが閉じられた第１位置（図５ａ）とドアが全開された第２位置（図５ｄ）との間で可動である前記ドア（２１０）を前記ハウジングに連結させてその相対移動を可能にするヒンジ機構（４０４）と、
を含み、
前記ヒンジ機構（４０４）は、前記ドア（２１０）及び前記ハウジング（４０２）に対してこれらの垂直方向先端から離間した点に取り付けられ、それにより、該ドアが前記第１位置にある時に、該ヒンジ機構は、家電製品の前面の位置からは見えず、かつ
前記ヒンジ機構（４０４）は、使用中に、前記ドアが前記第２位置にある時に前記一方の側面（４１０）を横方向に超える該ドア（２１０）の突出の範囲が、該ドアが前記第１位置にある時の範囲よりも小さいか又はこれに等しいような形状及び寸法にされる、
ことを特徴とする家電製品。
【請求項２】
前記ヒンジ機構は、前記第１位置と前記第２位置の間の前記ドア（２１０）の移動中に、該ドアが横方向に外側、次に内側へと移動し、それにより、前記一方の側面（４１０）を横方向に超える該ドアの突出の範囲が、該ドアが該第１位置にある時の範囲よりも小さな距離だけ一時的に大きいような形状及び寸法にされることを特徴とする請求項１に記載の家電製品。
【請求項３】
組込式又は差込式設置のための家電製品（２０２）であって、
少なくとも２つの側面（４１０）を有するハウジング（４０２）と、
フロントドア（２１０）と、
前記側面（４１０）の一方で又はそれに隣接して設けられ、ドアが閉じられた第１位置（図５ａ）とドアが全開された第２位置（図５ｄ）との間で可動である前記ドアを前記ハウジングに連結させてその相対移動を可能にするヒンジ機構（４０４）と、
を含み、
前記ヒンジ機構（４０４）は、使用中に、前記ドアが前記第２位置にある時に前記一方の側面（４１０）を横方向に超える該ドアの突出の範囲が、該ドアが前記第１位置にある時の範囲よりも小さいか又はこれに等しいような形状及び寸法にされ、かつ
前記ヒンジ機構（４０４）は、前記第１位置と前記第２位置の間の前記ドア（２１０）の移動中に、該ドアが横方向に外側、次に内側へと移動し、それにより、前記一方の側面（４１０）を横方向に超える該ドアの突出の範囲が、該ドアが該第１位置にある時の範囲よりも小さな距離だけ一時的に大きいような形状及び寸法にされる、
ことを特徴とする家電製品。
【請求項４】
前記ヒンジ機構（４０４）は、前記ドア（２１０）及び前記ハウジング（４０２）に対してこれらの垂直方向先端から離間した点に取り付けられ、それにより、該ドアが前記第１位置にある時に、該ヒンジ機構は、家電製品の前面の位置からは見えないことを特徴とする請求項３に記載の家電製品。
【請求項５】
前記小さな距離は、３ｍｍまで、及びより好ましくは２−３ｍｍであることを特徴とする請求項２から請求項４のいずれか１項に記載の家電製品。
【請求項６】
前記ヒンジ機構（４０４）は、前記第１位置と前記第２位置の間の移動中に、前記ハウジングに対する前記ドア（２１０）の二重移動、例えば、回転及び並進の両方の移動が容易にされるような形状及び配置にされることを特徴とする請求項１から請求項５のいずれか１項に記載の家電製品。
【請求項７】
前記ヒンジ機構（４０４）は、少なくとも前記ハウジング（４０２）の上部及び下部の各々において、
前記ドア（２１０）に固定的に取り付けられ、１次スロット（４２０）が形成された第１ヒンジ部材（４０６）、
を含む、
ことを特徴とする請求項１から請求項６のいずれか１項に記載の家電製品。
【請求項８】
前記第１ヒンジ部材（４０６）は、前記ドア（２１０）の上部及び下部の両方から離間していることを特徴とする請求項７に記載の家電製品。
【請求項９】
前記ヒンジ機構（４０４）は、少なくとも前記ハウジング（４０２）の上部及び下部の各々において、
前記ハウジング（４０２）に固定的に取り付けられ、２次スロット（４１２）が形成された第２ヒンジ部材（４０８）、
を含む、
ことを特徴とする請求項１から請求項８のいずれか１項に記載の家電製品。
【請求項１０】
前記第２ヒンジ部材（４０８）は、前記ハウジング（４０２）の前記上部及び下部の両方から離間していることを特徴とする請求項９に記載の家電製品。
【請求項１１】
前記ヒンジ機構（４０４）は、少なくとも前記ハウジング（４０２）の前記上部及び下部の各々において、前記第１（４０６）及び第２（４０８）ヒンジ部材をそれぞれのスロット（４２０、４１２）を通じて各々が互いに連結する１対の接続部材（４１６、４１８）を更に含み、
各スロット（４２０、４１２）は、前記第２ヒンジ部材（４０８）に対する前記第１ヒンジ部材（４０６）の異なるタイプの移動を可能にする、
ことを特徴とする請求項７から請求項１０のいずれか１項に記載の家電製品。
【請求項１２】
前記１次スロット（４２０）は、相対的に細長いスロットを含み、前記２次スロット（４１２）は、相対的に短いスロットを含み、
又は、前記１次スロット（４２０）は、相対的に短いスロットを含み、前記２次スロット（４１２）は、相対的に細長いスロットを含む、
ことを特徴とする請求項１１に記載の家電製品。
【請求項１３】
前記細長いスロットは、ほぼ弓形又はほぼ曲線であり、それにより、前記第１位置と前記第２位置の間の移動中の前記ハウジング（４０２）に対する前記ドア（２１０）の実質的な回転移動を容易にすることを特徴とする請求項１２に記載の家電製品。
【請求項１４】
前記短いスロットは、直線状に延び、それにより、前記第１位置と前記第２位置の間の移動中の前記ハウジング（４０２）に対する前記ドア（２１０）の実質的な直線並進移動を容易にすることを特徴とする請求項１２又は請求項１３に記載の家電製品。
【請求項１５】
前記短いスロットは、前記細長いスロットの終点間を結ぶ線に対して例えば約４５度のある一定の角度の方向に延びていることを特徴とする請求項１１から請求項１４のいずれか１項に記載の家電製品。
【請求項１６】
前記ヒンジ部材（４０６、４０８）の各々は、例えば鋼鉄製の板の形態であることを特徴とする請求項７から請求項１５のいずれか１項に記載の家電製品。
【請求項１７】
前記１次スロット（４２０）、前記２次スロット（４１２）、又はその両方は、その内面上に、それぞれの接続部材（４１６、４１８）における対応する凹部形状と係合するための該スロットの長さに沿って延びる隆起部分（４２４、４２６）を設けていることを特徴とする請求項７から請求項１６のいずれか１項に記載の家電製品。
【請求項１８】
前記接続部材（４１６、４１８）は、ピン、ナット、及びボルトを含むことを特徴とする請求項７から請求項１６のいずれか１項に記載の家電製品。
【請求項１９】
前記ドア（２１０）は、最前部のほぼ矩形のガラス板（２１６）を含み、
前記ドアの最も遠い横方向の範囲は、該ドア（２１０）がそれぞれ前記第１及び第２位置にある時の前記ガラス板（２１６）の縁部（４１１）及び該ガラス板の前向き表面によって定められる、
ことを特徴とする請求項１から請求項１８のいずれか１項に記載の家電製品。
【請求項２０】
前記ヒンジ機構（４０４）は、前記ハウジング（４０２）の前記側面（４１０）の一方に又はそれに隣接して設けられる代わりに、該ハウジングの前記上部又は下部に又はそれに隣接して設けられることを特徴とする請求項１から請求項１９のいずれか１項に記載の家電製品。
【請求項２１】
オーブン（２０２）、例えば電子レンジの形態であるか、又は冷蔵庫又は冷凍庫の形態であることを特徴とする請求項１から請求項２０のいずれか１項に記載の家電製品。
【国際調査報告】
2009541699.tif 000016
2009541699.tif 000017
2009541699.tif 000018